(57)【要約】【課題】本考案は、薄型表示装置の背面に取り付けることが容易で、かつ、薄型表示装置を載置する載置台に取り付けることが容易で、全体の構造がシンプルな薄型表示装置の転倒防止具を提供することを目的とする。【解決手段】本考案に係る転倒防止具１０は、、第１ベルト２０と第２ベルト３０とからなり、第１ベルト２０は、その一端に薄型表示装置Ａの背面に係合する係止具２１を備え、第２ベルト３０は、その一端に載置台Ｂに粘着可能な粘着具３１を備え、粘着具３１は、その下面に凹部が形成されたカバー体と、当該凹部に嵌め込まれたクッション性のある粘着マットとから構成され、第１ベルト２０の他端と第２ベルト３０の他端とは、着脱可能で長さ調節可能な連結具により連結されてなることを特徴とする。【選択図】        図１
0003197628.tif 000002
【実用新案登録請求の範囲】
【請求項１】
第１ベルトと第２ベルトとからなり、
前記第１ベルトは、その一端に薄型表示装置の背面に係合する係止具を備え、
前記第２ベルトは、その一端に載置台に粘着可能な粘着具を備え、
前記粘着具は、その下面に凹部が形成されたカバー体と、当該凹部に嵌め込まれたクッション性のある粘着マットとから構成され、
前記第１ベルトの他端と前記第２ベルトの他端とは、着脱可能で長さ調節可能な連結具により連結されてなる
ことを特徴とする薄型表示装置の転倒防止具。
【請求項２】
前記粘着具のカバー体上面には、第２ベルト用のベルト通し穴が形成されてなる
ことを特徴とする請求項１に記載の薄型表示装置の転倒防止具。
【請求項３】
前記係止具は、ねじ通し穴を備え、ねじにより薄型表示装置の背面にねじ止めする係止具である
ことを特徴とする請求項１又は２に記載の薄型表示装置の転倒防止具。
【請求項４】
前記係止具は、クッション性があり、かつ、接着性を有する係止具である
ことを特徴とする請求項１又は２に記載の薄型表示装置の転倒防止具。
【請求項５】
前記転倒防止具は、前記第１ベルトと第２ベルトとが、載置台から薄型表示装置の背面までの間をほぼ垂直に立ち上がる設置構造とした
ことを特徴とする請求項１〜４のいずれか１項に記載の薄型表示装置の転倒防止具。
【考案の詳細な説明】
【技術分野】
【０００１】
本考案は、薄型表示装置の転倒防止具に関する。
【背景技術】
【０００２】
近年、テレビやコンピューターのモニターに液晶等を使用した薄型表示装置が使用されている。当該薄型表示装置は、それ自体に薄型表示装置を立設するためのスタンドが備えられており、通常、薄型表示装置の背面側を室内の壁側に対向させて、薄型表示装置の画像が映し出される前面側が見やすいように設置されている。そして、前記の薄型表示装置の設置上、薄型表示装置が背面側に転倒しても壁面により支持されるためほとんど影響がないが、前面側に転倒すると薄型表示装置の破損はもとより人体への損傷等の被害が出るおそれがある。
【０００３】
そこで、下記特許文献１〜５に示されるような転倒防止具が開発された。
【０００４】
特許文献１及び２には、平面テレビの背面部にＴ形部材を接着テープにより固着し、テレビ台の設置面にＴ形部材を接着テープにより固着し、ベルトは、Ｔ形部材の第１の結合部の第１の開口部と、Ｔ形部材の第２の結合部の第２の開口部とを貫通し、日の字形部材によりベルトの両端部が結合されて環状になっており、この転倒防止器具により、地震のような強い揺れが発生しても、平面テレビがテレビ台の設置面から滑り落ちるような事態を避けることができる構造の転倒防止器具が示されている。
【０００５】
特許文献３には、テレビ用ラック等の什器の載置面に据え置かれ、画像表示部と載置部と画像表示部を載置部へ接続するための支柱とを備えた液晶テレビ等の薄型画像表示装置の転倒を防止するための免震固定具であって、ひも状部材と、画像表示部の背面に固定されたひも状部材が掛けられる背面掛部と、載置面に固定されたひも状部材が掛けられる載置面掛部とを具備し、ひも状部材を背面掛部から載置面掛部を介して支柱へ連続して架け渡すことにより、薄型画像表示装置の転倒を防止することができる構造の薄型画像表示装置の免震固定具が示されている。
【０００６】
特許文献４には、薄型テレビの背面にある壁掛け金具取付けネジ部に、ワイヤの一端部を保持するための固定金具を固定し又はワイヤの一端部を直接固定すると共に、該薄型テレビの後方の壁又は薄型テレビを載せたテレビ台に前記ワイヤの他端部を着脱自在に保持することができるワイヤ保持装置を固定するためのレールを設置し、該レールに固定したワイヤ保持装置に前記ワイヤの他端部を挿着して張架することにより当該薄型テレビの転倒防止を図る構造の薄型テレビ用転倒防止具が示されている。
【０００７】
特許文献５には、薄型テレビの背面にある壁掛け金具取付けネジ部にアイボルトを螺着すると共に、該薄型テレビの後方の壁又は当該薄型テレビを載せたテレビ台に半円状の保持体を備えた固定金具を固定し、前記アイボルトと固定金具とを先端側にフックを備えたワイヤにて張架することにより転倒防止を図る構造の薄型テレビ用転倒防止具が示されている。
【先行技術文献】
【特許文献】
【０００８】
【特許文献１】特開２００６−２０４２３９号公報
【特許文献２】実用新案登録第３１１２６５６号公報
【特許文献３】特開２０１２−５０９５号公報
【特許文献４】実用新案登録第３１３１３７４号公報
【特許文献５】実用新案登録第３１２０４２８号公報
【考案の概要】
【考案が解決しようとする課題】
【０００９】
しかしながら、上記特許文献１及び２に示される転倒防止器具は、平面テレビの背面部とＴ形部材との固着手段及びテレビ台の設置面とＴ形部材との固着手段として、接着テープが使用されており、当該接着テープには緩衝性がないために接着テープに急激な押圧力が働いた場合には、平面テレビの背面やテレビ台の設置面が破損するおそれがあり、また接着テープに急激な引き上げが働いた場合には、粘性がないため加わる力によっては簡単に剥がれてしまうおそれがあった。
【００１０】
上記特許文献３に示される薄型画像表示装置の免震固定具は、薄型画像表示装置は、画像表示部と載置部と画像表示部を載置部へ接続するための支柱とを備えた構造のものに限られているため汎用性に劣り、しかも画像表示部の背面にひも状部材が掛けられる背面掛部を固定しておく必要があって、画像表示部の背面を加工する面倒な作業を伴うものである。
【００１１】
上記特許文献４に示される薄型テレビ用転倒防止具は、薄型テレビの背面にワイヤの一端部を固定し、前記ワイヤの他端部を着脱自在に保持することができるワイヤ保持装置を備え、テレビ台にワイヤ保持装置を固定するためのレールを設置するものであるから、テレビ台にレールを設置する面倒な作業を伴うものであり、レールに設置可能なワイヤー保持装置なるものを別途備える必要があり、コスト高の上に複雑な構成のものであった。
【００１２】
上記特許文献５に示される薄型テレビ用転倒防止具は、薄型テレビの背面にある壁掛け金具取付けネジ部にアイボルトを螺着する面倒な作業及びテレビ台に半円状の保持体を備えた固定金具を固定する面倒な作業を伴うものである。
【００１３】
そこで、本考案者は、鋭意研究を重ね、パーソナルコンピューターの液晶表示モニターや液晶テレビ等の薄型表示装置の背面に取り付けることが容易で、かつ、液晶表示モニターを載置する机上や液晶テレビを載置するテレビ台等の載置台に取り付けることが容易で、全体の構造がシンプルな薄型表示装置の転倒防止具を開発した。
【課題を解決するための手段】
【００１４】
本考案に係る薄型表示装置の転倒防止具（以下、「単に転倒防止具」という。）は、第１ベルトと第２ベルトとからなり、前記第１ベルトは、その一端に薄型表示装置の背面に係合する係止具を備え、前記第２ベルトは、その一端に載置台に粘着可能な粘着具を備え、前記粘着具は、その下面に凹部が形成されたカバー体と、当該凹部に嵌め込まれたクッション性のある粘着マットとから構成され、前記第１ベルトの他端と前記第２ベルトの他端とは、着脱可能で長さ調節可能な連結具により連結されてなることを特徴とするものである。
【００１５】
なお、上記の本考案において使用する粘着マットとしては、出願人が取り扱っている商品名「プロセブン耐震マット」が最も最適である。商品名「プロセブン耐震マット」は、高い反発弾性により振動吸収性に優れたウレタンエラストマー製であり、粘着マットの表裏両面は粘着性を有しており、その粘着性は、引き剥がそうとする力が急激に働いた場合、例えば、衝突による衝撃や地震などの震動により薄型表示装置に急激な力が加わって、薄型表示装置が揺れ動いたり、跳ね上がろうとした場合に、載置台の表面から粘着マットが離れようとする作用に対しては強い粘着力を発揮して引き剥がれないように働く。逆に当該粘着マットに対して引き剥がそうとする力が緩やかに働いた場合には徐々に引き剥がれる剥離性能を有している。
【００１６】
また、上記の構成に加えて、前記粘着具のカバー体上面には、第２ベルト用のベルト通し穴が形成されてなる構成としてもよい。
【００１７】
さらに、上記の構成に加えて、前記係止具は、ねじ通し穴を備え、ねじにより薄型表示装置の背面にねじ止めする係止具である構成としてもよい。
【００１８】
さらにまた、上記の構成に加えて、前記係止具は、クッション性があり、かつ、接着性を有する係止具である構成としてもよい。
【００１９】
また、上記の構成に加えて、前記転倒防止具は、前記第１ベルトと第２ベルトとが、載置台から薄型表示装置の背面までの間をほぼ垂直に立ち上がる設置構造としてもよい。
【考案の効果】
【００２０】
以上のように、本考案に係る転倒防止具は、上記のように構成されているので、第１ベルトの一端を薄型表示装置の背面に取り付けることが容易で、第２ベルトの他端を載置台に取り付けることが容易で、全体の構造がシンプルなものであり、安価に提供することができる優れものである。
【図面の簡単な説明】
【００２１】
【図１】本考案の実施例１に係る転倒防止具を大型液晶テレビに取り付けた状態を背面から見た斜視図である。
【図２】本考案の実施例１に係る転倒防止具に使用する第１ベルト及び第２ベルトの構造を示す斜視図である。
【図３】本考案の実施例１に係る転倒防止具に使用する粘着具を上方から見た斜視図である。
【図４】本考案の実施例１に係る転倒防止具に使用する粘着具の下方から見た分解斜視図である。
【図５】本考案の実施例２に係る転倒防止具を大型液晶テレビに取り付けた状態を背面から見た斜視図である。
【図６】本考案の実施例２に係る転倒防止具に使用する第１ベルト及び第２ベルトの構造を示す斜視図である。
【考案を実施するための形態】
【００２２】
以下に本考案の好適な実施例を添付の図面に基づいて詳細に説明する。
【実施例１】
【００２３】
図１において、Ａは例として示す液晶テレビ等の薄型表示装置である。この薄型表示装置Ａとしては、前記の液晶テレビ以外、パーソナルコンピューターの液晶表示モニター等がある。Ｂは、前記液晶テレビが載置されたテレビ台などの載置台である。
【００２４】
１０は、前記薄型表示装置Ａのための転倒防止具であって、転倒防止具１０は、薄型表示装置Ａと載置台Ｂとを接続するものである。
【００２５】
転倒防止具１０は、主として第１ベルト２０と第２ベルト３０とから構成される。
【００２６】
前記第１ベルト２０は、図１に示すように、その一端に薄型表示装置Ａの背面に係合する係止具２１を備えるものであって、図２に示すように、当該係止具２１はねじ通し穴２２を備えており、薄型表示装置Ａの背面における壁掛け用ねじ穴Ａ１やその他のねじ穴を利用し、ねじ２３により薄型表示装置Ａの背面にねじ止めできるようになっている。
【００２７】
前記第２ベルト３０は、図１〜図３に示すように、その一端に載置台Ｂに粘着可能な粘着具３１を備えている。当該粘着具３１は、図４に示すように、カバー体３２と粘着マット３３とからなり、カバー体３２はその下面に凹部３２ａが形成されており、当該凹部３２ａにクッション性のある粘着マット３３が嵌め込まれて載置台Ｂに粘着可能になっている。また、カバー体３２はその上面中央に第２ベルト３０の一端が挿通できるベルト通し穴３２ｂが形成されており、カバー体３２のベルト通し穴３２ｂに第２ベルト３０の一端を挿通して連結することにより、第２ベルト３０の一端と粘着具３１とが結合するようになっている。
【００２８】
上記した第１ベルト２０と第２ベルト３０との、それぞれの他端側は雄部材２５と雌部材３５とからなる連結具が備えられていて第１ベルト２０と第２ベルト３０とを着脱自在に連結できるようになっている。
【００２９】
前記の雄部材２５は、第１ベルト２０に連結されたベルト取付部２５ａと、当該ベルト取付部２５ａから突出する差込部２５ｂを有しており、第２ベルト３０に連結された雌部材３５は、前記雄部材２５の差込部２５ｂが係合可能な構造になっている。前記雄部材２５の差込部２５ｂは、ベルト取付部２５ａから突出する弾性腕片２５ｃと、当該弾性腕片２５ｃの先端に形成された操作片２５ｄと雌部材３５に係合する係合部２５ｅとを有している。雌部材３５は、前記雄部材２５の操作片２５ｄを雌部材３５の外部に露出させる開口部３５ａを有している。したがって、雌部材３５へ雄部材２５の差込部２５ｂを差し込んで係合部２５ｅを係合させることにより雄部材２５と雌部材３５とが連結され、第１ベルト２０と第２ベルト３０とが連結される。また、雌部材３５に連結されている雄部材２５の操作片２５ｄを雌部材３５の開口部３５ａから雌部材３５の内方に押し込むと、雄部材２５の係合部２５ｅの係合が雌部材３５から外れ、雄部材２５と雌部材３５とが分離して第１ベルト２０と第２ベルト３０とが分離する。また、雄部材２５のベルト取付部２５ａには矩形のベルト取付穴２５ｆが形成されると共にベルト取付穴２５ｆの中間位置に連結杆２５ｇが掛け渡されていて、当該連結杆２５ｇによってベルト取付穴２５ｆが２つのベルト挿通穴２５ｆａ，２５ｆｂに分割されることにより、第１ベルトの他端を一方のベルト挿通穴２５ｆａに挿通し、連結杆２５ｇにて折り返して他方のベルト挿通穴２５ｆｂに再び挿通することにより、第１ベルト２０の長さを調節することができるようになっている。これにより、連結された第１ベルト２０と第２ベルト３０との全体の長さを調節することが可能となる。
【００３０】
上記のように構成された転倒防止具１０を、図１に示すように、薄型表示装置Ａと載置台ｂとに取り付けると、薄型表示装置Ａが、その前面側に転倒することを防止できる。その取り付けの際、第１ベルト２０と第２ベルト３０とが、載置台Ｂからほぼ垂直に立ち上がるように設置すると、載置台Ｂ上の薄型表示装置Ａがその前後にずれ動くことが防止できる利点があり、また、転倒防止具１０の設置スペースが節約でき、載置台Ｂから薄型表示装置Ａの背面側がすっきりした状態となる。なお、薄型表示装置の支持部材の状況によっては、転倒防止具１０を載置台Ｂからほぼ垂直に立ち上がるように設置できない場合もあり、その場合には、支持部材を避けるために転倒防止具１０が載置台Ｂからやや斜めに設置される。
【実施例２】
【００３１】
本実施例に係る転倒防止具１１０は、上記実施例１における係止具２１の変更例である。したがって、係止具２１以外の構成は実施例１と同一であるので、その説明を省略すると共に実施例１と同一の符号は実施例２にも援用する。
【００３２】
本実施例における第１ベルト１２０の係止具１２１は、図５及び図６に示すように、粘着マット１２１ａを備えた自己粘着性のものである。なお、粘着マット１２１ａは、これに限られるものではなく、クッション性があり、かつ、接着性を有するものであればよい。具体的には、係止具１２１は、粘着マット１２１ａを収納した矩形カバー体より構成され、当該矩形カバー体が第１ベルト１２０の一端に取り付けた構成である。このように構成することにより、薄型表示装置Ａの背面に対して第１ベルト１２０の係止具１２１の取付位置が広がるので、便利である。
【００３３】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００３４】
Ａ…………薄型表示装置（液晶テレビ）
Ａ１………壁掛け用ねじ穴
Ｂ…………載置台
１０………転倒防止具
２０………第１ベルト
２１………係止具
２２………ねじ通し穴
２３………ねじ
２５………雄部材
２５ａ……ベルト取付部
２５ｂ……差込部
２５ｃ……弾性腕片
２５ｄ……操作片
２５ｅ……係合部
２５ｆ……ベルト取付穴
２５ｆａ…ベルト挿通穴
２５ｆｂ…ベルト挿通穴
２５ｇ……連結杆
３０………第２ベルト
３１………粘着具
３２………カバー体
３２ａ……カバー体の凹部
３２ｂ……ベルト通し穴
３３………粘着マット
３５………雌部材
３５ａ……開口部
１１０……転倒防止具
１２０……第１ベルト
１２１……係止具
１２１ａ…粘着マット
【図１】
0003197628.tif 000003
【図２】
0003197628.tif 000004
【図３】
0003197628.tif 000005
【図４】
0003197628.tif 000006
【図５】
0003197628.tif 000007
【図６】
0003197628.tif 000008